(57)【要約】【課題】自動で受信器のパワーダウンを検出する送信器及びそれを含むシステムを提供する。【解決手段】本発明によるＴＭＤＳシステムの送信器は、電流ソースと、電流ソースに連結され、電流ソースの電流をスイッチングするためのスイッチ対と、電流ソース及びスイッチ対を連結するノードである連結ノードに発生する電位をモニタリングするモニタリングユニットと、を含む。スイッチ対は、それぞれ第１ライン及び第２ラインを通じてＴＭＤＳシステムの受信器に連結され、モニタリングユニットは、受信器に印加されるパワーサプライ電源電圧及びスイッチング対の電流スイッチングに基づいて、連結ノードに発生する電位をモニタリングする。【選択図】      図２
2011166747.tif 000002
【特許請求の範囲】
【請求項１】
ＴＭＤＳシステムの送信器において、
電流ソースと、
前記電流ソースに連結され、前記電流ソースの電流をスイッチングするためのスイッチ対と、
前記電流ソース及び前記スイッチ対を連結するノードである連結ノードに発生する電位をモニタリングするモニタリングユニットと、を含み、
前記スイッチ対は、それぞれ第１ライン及び第２ラインを通じて前記ＴＭＤＳシステムの受信器に連結され、
前記モニタリングユニットは、前記受信器に印加される電源電圧及び前記スイッチング対の電流スイッチングに基づいて、前記連結ノードに発生する電位をモニタリングすることを特徴とする送信器。
【請求項２】
前記送信器は、
前記連結ノード及び前記モニタリングユニットの間に位置し、前記連結ノードの電位をバッファリングして、前記モニタリングユニットに出力するためのバッファをさらに含むことを特徴とする請求項１に記載の送信器。
【請求項３】
前記送信器は、
第１トランジスタ及び第２トランジスタを含む第１ブランチと、
第３トランジスタ及び第４トランジスタを含む第２ブランチと、を含む電流ミラーをさらに含み、
前記電流ミラーは、前記連結ノード及び前記モニタリングユニットの間に位置し、前記第１トランジスタのゲート端に入力される連結ノードの電位に基づいて、前記第３トランジスタのドレイン端に表われる電位を前記モニタリングユニットに出力することを特徴とする請求項１に記載の送信器。
【請求項４】
前記電流ミラーは、
前記第１トランジスタ及び前記第３トランジスタは、ｎＭＯＳＦＥＴに相応し、
前記第２トランジスタ及び前記第４トランジスタは、ｐＭＯＳＦＥＴに相応することを特徴とする請求項３に記載の送信器。
【請求項５】
前記スイッチ対は、一つがクローズされれば、他の一つはオープンされることを特徴とする請求項１に記載の送信器。
【請求項６】
請求項１乃至請求項５のうち何れか一項に記載の前記送信器を含むことを特徴とするＴＭＤＳシステム。
【請求項７】
前記ＴＭＤＳシステムは、
電源電圧及びグラウンドサプライ電圧によってパワーオンされることを特徴とする請求項６に記載のＴＭＤＳシステム。
【請求項８】
請求項１乃至請求項５のうち何れか一項に記載の前記送信器と、
前記第１信号ラインまたは前記第２信号ライン、及びパワーサプライ電源電圧の間にカップリングされた少なくとも一つのプルアップ抵抗を含む受信器と、
を含むことを特徴とするＴＭＤＳシステム。
【請求項９】
前記受信器は、
前記第１信号ライン及び前記第２信号ラインと連結され、前記第１信号ラインの電位及び前記第２信号ラインの電位を比較するための比較器をさらに含むことを特徴とする請求項８に記載のＴＭＤＳシステム。
【請求項１０】
請求項６に記載のＴＭＤＳシステムを含むことを特徴とするＡＶシステム。
【発明の詳細な説明】
【技術分野】
【０００１】
本発明は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）またはＤＶＩ（Ｄｉｇｉｔａｌ  Ｖｉｓｕａｌ  Ｉｎｔｅｒｆａｃｅ）のようなデジタルインターフェースを通じて連結された送信器及びそれを含むシステムに関する。さらに具体的には、特定ノードの電圧を感知して受信器のパワーダウン（ｐｏｗｅｒ−ｄｏｗｎ）の有無を自動で検出する送信器及びそれを含むシステムに関する。
【背景技術】
【０００２】
最近、オーディオ及びビデオデータを伝送するソースデバイス、これらのデータを受信するシンクデバイス及びリピータデバイスを含むＡＶシステムの使用が大幅に拡大されている。
ソースデバイスは、ＤＶＤプレイヤ、ＢＤ（Ｂｌｕｅ−ｒａｙ  Ｄｉｓｋ）プレイヤ、ＨＤ  ＤＶＤ（Ｈｉｇｈ−Ｄｅｆｉｎｉｔｉｏｎ  ＤＶＤ）プレイヤ、ＣＤプレイヤなどがあり、シンクデバイスは、ＬＣＤ（Ｌｉｑｕｉｄ  Ｃｒｙｓｔａｌ  Ｄｉｓｐｌａｙ）装置、ＰＤＰ（Ｐｌａｓｍａ  Ｄｉｓｐｌａｙ  Ｐａｎｅｌ）装置及びプロジェクタなどがある。
【０００３】
リピータデバイスは、ＡＶ増幅器やＡＶ受信器などがある。こうした装置は、ＨＤＭＩケーブルで連結されてＨＤＭＩ規格のようなデジタルインターフェースを通じてＡＶデータを送受信する。
ソースデバイスは、シンクデバイスと連結する時、ビデオ信号などを伝送し、シンクデバイスの連結の有無を決定するためにＨＰＤ（Ｈｏｔ  Ｐｌｕｇ  Ｄｅｔｅｃｔ）信号を使う。
【０００４】
しかし、これは、シンクデバイスの連結の有無を知らせるだけであり、シンクデバイスがパワーダウン状態であるか否かは安定的に知らせることができない。
シンクデバイスのパワーダウンの有無を安定的に知らせるための従来の技術は、ＤＤＣ（Ｄｉｓｐｌａｙ  Ｄａｔａ  Ｃｈａｎｎｅｌ）通信を使う方法である。しかし、ＤＤＣ通信は、次のような二つの問題点が発生する。
【０００５】
第一に、ＤＤＣ通信は、最高速度が１００ｋＨｚと遅いために、ソースデバイス、すなわち、送信器から、シンクデバイス、すなわち、受信器にパワーオン信号が来るまでの時間が長くかかる。したがって、送信器が、受信器の状態をパワーダウン状態と検出してＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）信号伝送を終了してしまう可能性がある。
【０００６】
第二に、ＴＭＤＳ信号の線伝送なしには、ＤＤＣ伝送に反応しないシンクデバイスの受信器が多数存在し、このような受信器では、ＤＤＣ通信自体ができないために、受信器がパワーダウン状態であるか否かが分からない。
【発明の概要】
【発明が解決しようとする課題】
【０００７】
本発明が解決しようとする技術的課題は、シンクデバイスがパワーダウン状態であるかを容易に判断できるように、パワーダウン状態であるか否かを自動で検出することができる送信器及びそれを含むシステムを提供することにある。
【課題を解決するための手段】
【０００８】
本発明によるＴＭＤＳシステムの送信器は、電流ソースと、電流ソースに連結され、電流ソースの電流をスイッチングするためのスイッチ対と、電流ソース及びスイッチ対を連結するノードである連結ノードに発生する電位をモニタリングするモニタリングユニットと、を含む。
スイッチ対は、それぞれ第１ライン及び第２ラインを通じてＴＭＤＳシステムの受信器に連結する。
モニタリングユニットは、受信器に印加される電源電圧及びスイッチング対の電流スイッチングに基づいて、連結ノードに発生する電位をモニタリングする。
【０００９】
送信器は、連結ノードの電位をバッファリングして、モニタリングユニットに出力するためのバッファをさらに含みうる。
バッファは、連結ノード及びモニタリングユニットの間に位置する。
また、送信器は、第１トランジスタ及び第２トランジスタを含む第１ブランチと、第３トランジスタ及び第４トランジスタを含む第２ブランチと、を含む電流ミラーをさらに含みうる。
【００１０】
電流ミラーは、連結ノード及びモニタリングユニットの間に位置する。
また、電流ミラーは第１トランジスタのゲート端に入力される連結ノードの電位に基づいて、第３トランジスタのドレイン端に表われる電位をモニタリングユニットに出力する。
第１トランジスタ及び第３トランジスタは、ｎＭＯＳＦＥＴに相応する。
第２トランジスタ及び第４トランジスタは、ｐＭＯＳＦＥＴに相応する。
スイッチ対は、一つがクローズされれば、他の一つはオープンされる。
【００１１】
本発明によるＴＭＤＳシステムは、パワーサプライ及びグラウンドサプライによってパワーオンされる。
ＴＭＤＳシステムは、第１信号ラインまたは第２信号ライン、及び電源電圧の間にカップリングされた少なくとも一つのプルアップ抵抗を含む受信器を含む。
受信器は、第１信号ライン及び第２信号ラインと連結される。
ＴＭＤＳシステムは、第１信号ラインの電位及び第２信号ラインの電位を比較するための比較器をさらに含みうる。
また、連結ノードの電位（ＶＡ）は、
【００１２】
【数１】
2011166747.tif 000003
に相応する。
ここで、Ｖｃｃは、電源電圧、Ｉは、電流ソース電流、ＲＴは、プルアップ抵抗値、ＲＯＮ，ＳＷは、スイッチ対がオンされる時の抵抗値に該当する。
【００１３】
また、本発明によるＴＭＤＳ信号伝送方法は、ＨＰＤ信号が入力されるかを感知する段階と、ＨＰＤ信号が入力される場合、連結ノードの電位値をモニタリングする段階と、電位値が検出される場合、ＴＭＤＳ信号を伝送する段階と、を含む。
ＴＭＤＳ信号伝送方法は、ＨＰＤ信号が入力されるかを感知する段階以前に、リセット信号の入力の有無を判断する段階をさらに含む。
また、ＨＰＤ信号が入力されるかを感知する段階は、リセット信号が入力されない場合に、ＨＰＤ信号が入力されるかを感知する段階を含む。
【００１４】
連結ノードの電位値をモニタリングする段階は、連結ノードに連結されたバッファによってバッファリングされた連結ノードの電位値をモニタリングする段階を含む。
また、連結ノードの電位値をモニタリングする段階は、連結ノードに連結された電流ミラーを通じて連結ノードに電位値が表われるか否かをモニタリングする段階を含む。
ＴＭＤＳ信号を伝送する段階は、ＴＭＤＳ信号をＨＤＭＩフォーマットで伝送する段階を含む。
また、ＴＭＤＳ信号を伝送する段階は、ＴＭＤＳ信号をＤＶＩフォーマットで伝送する段階を含む。
【発明の効果】
【００１５】
本発明による送信器及びシステムによれば、送信器内部の特定ノードの電圧をモニタリングすることによって、自動で受信器のパワーダウンの有無が検出できる。
また、本発明による送信器及びシステムによれば、受信器のパワーダウンの有無を遅延時間なしに検出できる。
また、本発明による送信器及びシステムによれば、ＨＤＭＩ関連してＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）機能性をテストするＳｉｍｐｌａｙ  ＨＤ互換性テストを容易に通過することができるので、ＨＤＭＩ規格認証を受けたデバイス間の相互互換性問題を容易に解決することができる。
【図面の簡単な説明】
【００１６】
【図１】本発明の一実施形態によるＡＶシステムを示す図。
【図２】本発明の一実施形態によるＴＭＤＳシステムを示す図。
【図３Ａ】本発明のＴＭＤＳシステムの他の実施形態を示す図。
【図３Ｂ】図３Ａに示された電流ミラーの一実施形態を示す回路図。
【図４】本発明の一実施形態による差動ライン上の電圧スイングを示す図。
【図５】ＴＭＤＳ信号伝送方法を示すフローチャート。
【発明を実施するための形態】
【００１７】
本明細書に開示されている本発明の実施形態についての特定の構造的乃至機能的説明は、単に本発明による実施形態を説明するための目的として例示されたものであって、本発明による実施形態は、多様な形態で実施され、本明細書に説明された実施形態に限定されない。
【００１８】
本発明による実施形態を図面に例示し、本明細書に詳細に説明する。しかし、これは、本発明の概念による実施形態を特定の開示形態に対して限定しようとするものではなく、本発明の思想及び技術範囲に含まれるあらゆる変更、均等物乃至代替物を含むものと理解しなければならない。
【００１９】
第１及び／または第２などの用語は、多様な構成要素の説明に使われるが、構成要素は、これらの用語によって限定されてはならない。これらの用語は、一つの構成要素を他の構成要素から区別する目的のみで、例えば、本発明の概念による権利範囲から離脱せず、第１構成要素は、第２構成要素と名付けられ、同様に、第２構成要素は、第１構成要素とも名付けられうる。
【００２０】
ある構成要素が、他の構成要素に“連結されて”、または“接続されて”いると言及された時には、その他の構成要素に直接的に連結されているか、または接続されていることもあるが、中間に他の構成要素が存在することもあると理解しなければならない。一方、ある構成要素が、他の構成要素に“直接連結されて”、または“直接接続されて”いると言及された時には、中間に他の構成要素が存在しないものと理解しなければならない。構成要素の間の関係を説明する他の表現、すなわち、“〜の間に”と“すぐ〜の間に”または“〜に隣合う”と“〜に直接隣合う”なども同様である。
【００２１】
本明細書で使用する用語は、単に特定の実施形態を説明するために使われたものであって、本発明を限定しようとする意図ではない。単数の表現は、文脈上明白に異なる意味と使用しない限り、複数の表現を含む。本明細書で、“含む”または“有する”などの用語は、実施された特徴、数字、段階、動作、構成要素、部分品またはこれらを組み合わせたものが存在するということを指定しようとするものであって、一つまたはそれ以上の他の特徴や数字、段階、動作、構成要素、部分品またはこれらを組み合わせたもの存在または付加可能性をあらかじめ排除しないものと理解しなければならない。
【００２２】
異なる定義がない限り、技術的や科学的な用語を含んで、ここで使われるあらゆる用語は、本発明が属する技術分野で通常の知識を有した者によって、一般的に理解されるものと同じ意味を有している。一般的に使われる辞書に定義されている用語は、関連技術の文脈上有する意味と一致する意味を有するものであり、本明細書で明白に定義しない限り、理想的や過度に形式的な意味として理解されない。
【００２３】
以下、添付図面を参照して、本発明の望ましい実施形態を説明することによって、本発明を詳しく説明する。各図面に付された同一参照符号は、同一部材を表わす。
図１は、本発明の一実施形態によるＡＶ（Ａｕｄｉｏ  Ｖｉｓｕａｌ）システム３００を示す図である。図１を参照すれば、ＡＶシステム３００は、ビデオ伝送装置４００、ビデオ受信装置５００及びインターフェース６００を含む。
ビデオ伝送装置４００は、送信器１１０を含み、ビデオ受信装置５００は、受信器１９０及びメモリ５１０を含む。
【００２４】
インターフェース６００は、ＨＤＭＩ及びＤＶＩを含み、インターフェース６００から伝送される信号は、ＤＤＣ信号、ＨＰＤ信号、及びＴＭＤＳ信号及びクロック（図示せず）を含みうる。この際、ＴＭＤＳ信号は、高速のビデオ及び／またはオーディオ信号に相応し、クロック（図示せず）は、電源電圧（例えば、３．３Ｖ）によって生成される。
送信器１１０は、ＨＤＭＩ出力デバイス（ＨＤＭＩ  ｏｕｔｐｕｔ  ｄｅｖｉｃｅ）１１１、ＤＤＣインターフェース（ＤＤＣ  Ｉ／Ｆ）１１２及びコントローラ１１３を含み、受信器１９０は、ＨＤＭＩ入力デバイス（ＨＤＭＩ  ｉｎｐｕｔ  ｄｅｖｉｃｅ）１９１及び制御ユニット（ｃｏｎｔｒｏｌ  ｕｎｉｔ）１９２を含む。
【００２５】
ＨＤＭＩ出力デバイス１１１は、ＡＶ信号をＴＭＤＳ信号に変換して、受信器１９０のＨＤＭＩ入力デバイス１９１に出力する。
コントローラ１１３は、送信器１１０を制御する。例えば、コントローラ１１３は、制御信号を出力して、ＨＤＭＩ出力デバイス１１１の信号変換動作を制御し、ＤＤＣインターフェース１１２の出力部分のインピーダンスを制御（例えば、ハイインピーダンスまたはローインピーダンスで制御）する。
【００２６】
ＤＤＣインターフェース１１２は、送信器１１０及び受信器１９０をＤＤＣ通信させるか、コントローラ１１３が、送信器１１０を制御するために発生する各種制御信号を入出力させる。
ＨＤＭＩ入力デバイス１９１は、ＴＭＤＳ信号を受信し、制御ユニット１９２は、ＤＤＣ信号をインターフェース６００を通じて送信器１１０と送受信することができる。この際、ＤＤＣ信号は、ＤＤＣデータ信号及び５Ｖの直流信号を含む。
【００２７】
制御ユニット１９２は、ＤＤＣ信号を用いて、ＨＰＤ信号を制御する。例えば、ビデオ受信装置５００に異常電流が検出されない場合には、ＨＰＤ信号をハイ状態（例えば、５Ｖ直流信号状態）に制御して、ビデオ伝送装置４００に伝送させ、ビデオ受信装置５００に異常電流が検出される場合には、ＨＰＤ信号をロー状態（例えば、０Ｖ直流信号状態）に制御して、ビデオ伝送装置４００に伝送させる。
【００２８】
この際、ＨＰＤ信号は、ビデオ受信装置５００に電源を印加した状態でインターフェースケーブルを抜き差しすることを可能にする信号である。
メモリ５１０は、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報を保存する。この際、ＥＤＩＤ情報は、ビデオ受信装置５００がモニタである場合、モニタ情報データ（例えば、モニタの表現可能解像度、水平または垂直周波数などの基本ディスプレイ変数及び特性）に該当する。
ＥＤＩＤ情報は、ＤＤＣ信号に含まれて、送信器１１０に送信される。
【００２９】
図２は、本発明の一実施形態によるＴＭＤＳシステム１００を示す図である。図２に示されたＴＭＤＳシステム１００は、図１に示されたＴＭＤＳ信号ラインの信号伝送と関連したシステムに該当する。
図２を参照すれば、ＴＭＤＳシステム１００は、送信器１１０に含まれるＨＤＭＩ出力デバイス１１１及び受信器１９０に含まれるＨＤＭＩ入力デバイス１９１を含む。この際、差動ライン１１５は、ケーブル１６０を通じてＨＤＭＩ出力デバイス１１１とＨＤＭＩ入力デバイス１９１とを連結する。
【００３０】
ケーブル１６０は、ＨＤＭＩ出力デバイス１１１及びＨＤＭＩ入力デバイス１９１をグラウンド電圧に連結する一つ以上のワイヤまたは外装を内包する。
ＨＤＭＩ出力デバイス１１１は、スイッチ対Ｄ、ＮＤ１２０を使って、互いに相補的な差動ライン１１５の間に電流ソース１３０の電流をスイッチングさせる。
また、ＨＤＭＩ出力デバイス１１１は、バッファ１４０及びモニタリングユニット１５０を含む。
【００３１】
バッファ１４０は、電流ソース１３０とスイッチ対１２０との間の連結ノード（ＮＡ）の電位をバッファリングして出力し、モニタリングユニット１５０は、バッファ１４０から出力される電位値をモニタリングする。
ＨＤＭＩ入力デバイス１９１は、比較器１８０及び少なくとも一つのプルアップ抵抗（ＲＴ）１７０を含み、比較器１８０は、差動ライン１１５上の電位を比較し、少なくとも一つのプルアップ抵抗１７０は、差動ライン１１５をＶｃｃ（例えば、３．３Ｖ）にバイアスする。
【００３２】
ケーブル１６０及び少なくとも一つのプルアップ抵抗１７０は、互いに一致しなければならず、例えば、５０Ωに該当する。
ＨＤＭＩ出力デバイス１１１及びＨＤＭＩ入力デバイス１９１は、Ｖｃｃによって動作し、差動ライン１１５上の電圧スイングは、図４と同じである。図４を参照すれば、電圧スイングの幅は、５００ｍＶである。
Ｖｃｃが印加されて、ＨＤＭＩ入力デバイス１９１がパワーオンになる場合（または、受信器１９０がパワーオンになる場合）、連結ノード（ＮＡ）に特定電位値（ＶＡ）が表われる。連結ノード（ＮＡ）に表われる電位値（ＶＡ）は、下記の数式１のようである。
【００３３】
【数２】
2011166747.tif 000004
【００３４】
ここで、ＲＯＮ，ＳＷは、スイッチ対１２０がオンになる場合の抵抗に該当し、Ｉは、Ｖｃｃから連結ノード（ＮＡ）に流れる電流値で電流ソース１３０の電流に該当する。
例えば、Ｖｃｃ＝３．３Ｖ、ＲＴ＝５０Ω、ＲＯＮ，ＳＷ＝１０Ω、Ｉ＝５ｍＡと仮定すれば、連結ノード（ＮＡ）に表われる電位値（ＶＡ）は、
【００３５】
【数３】
2011166747.tif 000005
になる。
【００３６】
モニタリングユニット１５０は、連結ノード（ＮＡ）の電位値をモニタリングして、連結ノード（ＮＡ）に３Ｖの電位値が表われる場合、ＨＤＭＩ入力デバイス１９１がパワーオン（または、受信器１９０がパワーオン）されたと判断することができる。
【００３７】
図３Ａは、本発明のＴＭＤＳシステム１００’の他の実施形態を示す図である。図３Ｂは、図３Ａに示された電流ミラー２４０の一実施形態を示す回路図である。
図３Ａ及び図３Ｂを参照すれば、図２のＴＭＤＳシステム１００上で、ＴＭＤＳシステム１００のバッファ１４０に代わりに電流ミラー２４０を構成することができる。電流ミラー２４０は、第１ブランチ２４１及び第２ブランチ２４２を含み、第１ブランチ２４１は、第１トランジスタＭＮ１及び第２トランジスタＭＰ１を含み、第２ブランチ２４２は、第３トランジスタＭＮ２及び第４トランジスタＭＰ２を含む。
【００３８】
もし、Ｖｃｃが印加されて、ＨＤＭＩ入力デバイス１９１がパワーオン（または、受信器１９０がパワーオン）になる場合、連結ノード（ＮＡ）に、数式１による特定電位値（ＶＡ）が表われる。
特定電位値（ＶＡ）が、第１トランジスタＭＮ１のゲート端に印加されて、電流ミラー２４０の第１ブランチ２４１に電流が流れると、第２ブランチ２４２に、第１ブランチ２４１と同じ大きさの電流が流れる。
【００３９】
モニタリングユニット１５０は、第２ブランチ２４２に流れる電流によって第３トランジスタＭＮ２のドレイン端に表われる電位値をモニタリングする。
モニタリングユニット１５０によって、第３トランジスタＭＮ２のドレイン端に特定電位値が表われたと判断されれば、ＨＤＭＩ入力デバイス１９１がパワーオン（または、受信器１９０がパワーオン）状態であることを確認する。
【００４０】
図４は、本発明の一実施形態による差動ライン上の電圧Ｖ１スイングを示す図である。図１乃至図４を参照すれば、送信器（Ｔｘ）１１０及び受信器（Ｒｘ）１９０は、Ｖｃｃによって動作し、差動ライン１１５上の電圧Ｖ１は、２．７乃至３．３Ｖの範囲でスイングする。
【００４１】
図５は、ＴＭＤＳ信号伝送方法を示すフローチャートである。図５のＴＭＤＳ信号伝送方法は、図１に示された送信器１１０によって行われる。
図５を参照すれば、送信器１１０が、ＴＭＤＳ信号を受信器１９０に伝送しようとする中に、外部または内部からリセット信号が入力されれば（ステップＳ１０）、送信器１１０は、受信器１９０が未接続と判断する（ステップＳ３０）。
そうでなければ、受信器１９０からＨＰＤ信号が送信器１１０に入力されるかを感知し（ステップＳ２０）、ＨＰＤ信号が入力されない場合、送信器１１０は、受信器１９０が未接続と判断する（ステップＳ３０）。
【００４２】
もし、ＨＰＤ信号が入力された場合であれば、送信器１１０は、ＥＤＩＤ情報を読み取り可能な状態と判断する（ステップＳ４０）。この際、送信器１１０は、ＴＭＤＳ信号を伝送する準備ができる。
ＴＭＤＳ信号を伝送する前に、受信器１９０がパワーオンされたかを判断するために、送信器１１０は、連結ノード（ＮＡ）に特定電位値が検出されるかを判断する（ステップＳ４５）。
【００４３】
もし、特定電位値が検出されれば、送信器１１０は、メモリ５１０に保存されたＥＤＩＤ情報を通じて受信器１９０にＨＤＭＩ機能があるか否かを判断する（ステップＳ５０）。この際、送信器１１０は、受信器１９０にＨＤＭＩフォーマットでＴＭＤＳ信号を伝送するか、ＤＶＩフォーマットでＴＭＤＳ信号を伝送するかを選択するために、ＨＤＭＩ機能の有無を判断する。
ＨＤＭＩ機能があれば、送信器１１０は、ＨＤＭＩフォーマットでＴＭＤＳ信号を受信器１９０に伝送し（ステップＳ７０）、ＨＤＭＩ機能がない場合、送信器１１０は、ＤＶＩフォーマットでＴＭＤＳ信号を受信器１９０に伝送する（ステップＳ６０）。
【００４４】
本発明は、図面に示された一実施形態を参考にして説明されたが、これは例示的なものに過ぎず、当業者ならば、これより多様な変形及び均等な他の実施形態が可能であるという点を理解できるであろう。したがって、本発明の技術的保護範囲は、特許請求の範囲の技術的思想によって決定されるべきである。
【産業上の利用可能性】
【００４５】
本発明は、自動で受信器のパワーダウンを検出する送信器及びそれを含むシステムに利用されうる。
【符号の説明】
【００４６】
１００：ＴＭＤＳシステム
１１０：送信器
１１５：差動ライン
１２０：スイッチ対
１３０：電流ソース
１４０：バッファ
１５０：モニタリングユニット
１６０：ケーブル
１７０：プルアップ抵抗
１８０：比較器
１９０：受信器
【図１】
2011166747.tif 000006
【図２】
2011166747.tif 000007
【図３Ａ】
2011166747.tif 000008
【図３Ｂ】
2011166747.tif 000009
【図４】
2011166747.tif 000010
【図５】
2011166747.tif 000011